(57)【要約】【課題】設定よりも長尺な夾雑物の通過を防ぐこと。【解決手段】所定の篩目１Ａを有して形成された篩部１と、篩部１の上方に配置されて篩部１に上下方向で対向する底面２Ａを有し当該底面２Ａと前記篩部１との対向する間隔Ｄが被篩物Ｓに含まれ得る夾雑物Ｓ２の長さＬ以下に設定された案内部材２と、を備える。【選択図】図３
2016159287.tif 000002
【特許請求の範囲】
【請求項１】
所定の篩目を有して形成された篩部と、
前記篩部の上方に配置されて前記篩部に上下方向で対向する底面を有し当該底面と前記篩部との対向する間隔が被篩物に含まれ得る夾雑物の長さ以下に設定された案内部材と、
を備えることを特徴とする篩分装置。
【請求項２】
前記案内部材は、前記底面と前記篩部との間隔を調整可能に設けられていることを特徴とする請求項１に記載の篩分装置。
【請求項３】
前記案内部材は、前記篩部に対して前記被篩物を落下させる開口部が設けられ、
前記篩部は、前記開口部の直下の位置に前記篩目を有さず塞がれた閉塞部が設けられていることを特徴とする請求項１または２に記載の篩分装置。
【請求項４】
所定の篩目を有して形成された篩部と、
前記篩部に対して被篩物を滑落させる態様で斜面を有する案内部材と、
を備えることを特徴とする篩分装置。
【請求項５】
前記案内部材は、前記斜面の角度が前記被篩物に含まれ得る想定する夾雑物における安息角以下に設定されることを特徴とする請求項４に記載の篩分装置。
【請求項６】
前記案内部材は、前記斜面の角度が水平に対して４０度以下に設定されることを特徴とする請求項４に記載の篩分装置。
【請求項７】
前記案内部材は、前記斜面の表面に摩擦抵抗を低減する処理が施されていることを特徴とする請求項４〜６のいずれか１つに記載の篩分装置。
【請求項８】
前記案内部材は、前記斜面の下端と前記篩部との上下方向の間隔が前記被篩物に含まれ得る夾雑物の長さ以下に設定されることを特徴とする請求項４〜７のいずれか１つに記載の篩分装置。
【請求項９】
前記篩部を前記案内部材の前記斜面の傾斜方向に合わせて水平方向に移動させる移動機構を備え、
前記案内部材の前記斜面の角度θと、前記案内部材の前記斜面を滑落する前記被篩物の平均速度Ｖｂと、前記移動機構による前記篩部の移動速度Ｖｒとの関係を、Ｖｂ・ｃｏｓθ≦Ｖｒとすることを特徴とする請求項４〜８のいずれか１つに記載の篩分装置。
【発明の詳細な説明】
【技術分野】
【０００１】
本発明は、篩分装置に関する。
【背景技術】
【０００２】
バイオマスは、再生可能な生物由来の有機性資源であって、化石資源を除き、例えば、木材（間伐材、廃材木、流木など）、草類、廃棄物、汚泥、またはタイヤなどがある。このようなバイオマスは、細かく粉砕された後、計量されてガス火炉にてガス化されて燃料として用いられる。このようなバイオマスは、粉砕された粒径が様々であり、粉砕された後の配管などでの搬送中において配管内に詰まるおそれがあるため、篩い分けして配管に詰まるような粒径の大きなもの、特に、設定よりも長さの長いものを除く必要がある。
【０００３】
従来、例えば、特許文献１には、縦落ち防止篩機として、目合い以上の長さを有した夾雑物の選別をするため、篩板を有する篩部と、篩部を傾斜させて支持する機台と、篩部を振動させる駆動手段とを具備し、篩部には、その傾斜方向に対して直角方向に振動できるように構成することが示されている。
【０００４】
また、従来、例えば、特許文献２には、スクリーンプレートおよび材料篩い分け装置として、貫通孔の閉塞を防止して篩い分けを簡単かつ効率的に行うため、物質を篩い分けするスクリーンプレートに、その表面に所定方向へ互いに間隔をあけた多数の溝が配置され、かつ表面から裏面まで貫通する複数の貫通孔が、貫通孔の少なくとも一部が溝と重なるように配置され、貫通孔の所定方向の前方側の開口縁が、貫通孔が重なる溝の所定方向の前方側の溝縁より、所定方向の前方に位置していることが示されている。
【先行技術文献】
【特許文献】
【０００５】
【特許文献１】特開２００３−３３４４９４号公報
【特許文献２】特開２００２−３４８７９２号公報
【発明の概要】
【発明が解決しようとする課題】
【０００６】
特許文献１では、篩部による左右の振動と篩板の傾斜により、被篩物は、水平でかつ波形に運動しながら下方へ進行し、篩板の目合い以下の大きさの被篩物は篩目より落下し、目合い以上の大きさのものと分別され、この際、被篩物は、篩が水平に振動しているため、目合いより大きいものが縦になることはなく、篩目より縦落ちすることの防止を図っている。しかしながら、特許文献１は、被篩物が篩目の縁に引っ掛かって立ち上がった場合に篩目から縦落ちすることがあり、縦落ちを確実に防止することは困難であり、しかも、篩部を傾斜方向に対して直角方向に振動させる駆動手段の構成が複雑であり大量のバイオマスを篩い分けするには適していない。
【０００７】
なお、特許文献２では、繊維塊や異物を含まないことを目的としているが、溝により貫通孔において剥離渦を生じさせ、繊維塊や異物の詰まり防止を図っており、粒径の大きなものが貫通孔を通過することを防ぐものではない。
【０００８】
本発明は、上述した課題を解決するものであり、設定よりも長尺な夾雑物の通過を防ぐことのできる篩分装置を提供することを目的とする。
【課題を解決するための手段】
【０００９】
上述の目的を達成するために、第１の発明の篩分装置は、所定の篩目を有して形成された篩部と、前記篩部の上方に配置されて前記篩部に上下方向で対向する底面を有し当該底面と前記篩部との対向する間隔が被篩物に含まれ得る夾雑物の長さ以下に設定された案内部材と、を備えることを特徴とする。
【００１０】
通常、夾雑物は、篩部の篩目を通過しないが、上下方向に沿って立った場合に篩部の篩目を通過する可能性がある。従って、本発明の篩分装置によれば、案内部材の底面と篩部との上下方向の間隔が夾雑物の長さ以下に設定されていることで、夾雑物が篩部上で上下方向に沿って立つことを抑制する。この結果、設定よりも長尺な夾雑物の通過を防ぐことができる。
【００１１】
また、本発明の篩分装置は、第１の発明において、前記案内部材は、前記底面と前記篩部との間隔を調整可能に設けられていることを特徴とする。
【００１２】
この篩分装置によれば、様々な夾雑物の長さに応じて案内部材の底面と篩部との間隔を調整することで、汎用性を有することができる。
【００１３】
また、本発明の篩分装置は、第１の発明において、前記案内部材は、前記篩部に対して前記被篩物を落下させる開口部が設けられ、前記篩部は、前記開口部の直下の位置に前記篩目を有さず塞がれた閉塞部が設けられていることを特徴とする。
【００１４】
案内部材の開口部を介して篩部に落下する被篩物に夾雑物が含まれている場合、夾雑物が上下方向に立って落下する恐れがある。この篩分装置によれば、篩部の開口部の直下の位置に閉塞部が設けられているため、開口部から夾雑物が立って落下しても閉塞部に当接するため、長尺な夾雑物の通過を防ぐことができる。
【００１５】
上述の目的を達成するために、第２の発明の篩分装置は、所定の篩目を有して形成された篩部と、前記篩部に対して被篩物を滑落させる態様で斜面を有する案内部材と、を備えることを特徴とする。
【００１６】
通常、夾雑物は、篩部の篩目を通過しないが、上下方向に沿って立った場合に篩部の篩目を通過する可能性がある。従って、本発明の篩分装置によれば、被篩物に長尺な夾雑物が含まれている場合、案内部材の斜面を滑落した夾雑物は、斜面に沿って傾斜した状態で篩部に至る。このため、長尺な夾雑物が篩部上で上下方向に沿って立つことを抑制する。この結果、設定よりも長尺な夾雑物の通過を防ぐことができる。
【００１７】
また、本発明の篩分装置は、第２の発明において、前記案内部材は、前記斜面の角度が前記被篩物に含まれ得る想定する夾雑物における安息角以下に設定されることを特徴とする。
【００１８】
この篩分装置によれば、案内部材における斜面の角度が夾雑物における安息角以下に設定されていることで、夾雑物が斜面を転動する事態を防ぐため、夾雑物は、斜面に沿って傾斜した状態で滑落して篩部に至る。このため、長尺な夾雑物が篩部上で上下方向に沿って立つことを抑制する。この結果、設定よりも長尺な夾雑物の通過を防ぐことができる。
【００１９】
また、本発明の篩分装置は、第２の発明において、前記案内部材は、前記斜面の角度が水平に対して４０度以下に設定されることを特徴とする。
【００２０】
この篩分装置によれば、案内部材における斜面の角度が水平に対して４０度以下に設定されていることで、夾雑物が斜面を転動する事態を防ぐため、夾雑物は、斜面に沿って傾斜した状態で滑落して篩部に至る。このため、長尺な夾雑物が篩部上で上下方向に沿って立つことを抑制する。この結果、設定よりも長尺な夾雑物の通過を防ぐことができる。
【００２１】
また、本発明の篩分装置は、第２の発明において、前記案内部材は、前記斜面の表面に摩擦抵抗を低減する処理が施されていることを特徴とする。
【００２２】
この篩分装置によれば、案内部材における斜面の表面に摩擦抵抗を低減する処理が施されていることで、夾雑物が斜面を転動する事態を防ぐため、夾雑物は、斜面に沿って傾斜した状態で滑落して篩部に至る。このため、長尺な夾雑物が篩部上で上下方向に沿って立つことを抑制する。この結果、設定よりも長尺な夾雑物の通過を防ぐことができる。
【００２３】
また、本発明の篩分装置は、第２の発明において、前記案内部材は、前記斜面の下端と前記篩部との上下方向の間隔が前記被篩物に含まれ得る夾雑物の長さ以下に設定されることを特徴とする。
【００２４】
この篩分装置によれば、案内部材における斜面の下端と篩部との上下方向の間隔が夾雑物の長さ以下に設定されることで、斜面を滑落する夾雑物が、斜面の下端から落下する際、斜面に沿って傾斜した状態のまま篩部に至り易くなる。このため、長尺な夾雑物が篩部上で上下方向に沿って立つことを抑制する。この結果、設定よりも長尺な夾雑物の通過を防ぐことができる。
【００２５】
また、本発明の篩分装置は、第２の発明において、前記篩部を前記案内部材の前記斜面の傾斜方向に合わせて水平方向に移動させる移動機構を備え、前記案内部材の前記斜面の角度θと、前記案内部材の前記斜面を滑落する前記被篩物の平均速度Ｖｂと、前記移動機構による前記篩部の移動速度Ｖｒとの関係を、Ｖｂ・ｃｏｓθ≦Ｖｒとすることを特徴とする。
【００２６】
この篩分装置によれば、篩部の移動速度が案内部材の斜面を滑落する被篩物の平均速度よりも速いため、斜面を滑落する夾雑物が、斜面の下端から落下する際、斜面に沿って傾斜した状態のまま篩部に至り易くなる。このため、長尺な夾雑物が篩部上で上下方向に沿って立つことを抑制する。この結果、設定よりも長尺な夾雑物の通過を防ぐことができる。
【発明の効果】
【００２７】
本発明によれば、設定よりも長尺な夾雑物の通過を防ぐことができる。
【図面の簡単な説明】
【００２８】
【図１】図１は、本発明の実施形態に係る篩分装置が適用されるガス化システムの概略構成図である。
【図２】図２は、本発明の実施形態１に係る篩分装置の概略斜視図である。
【図３】図３は、本発明の実施形態１に係る篩分装置の概略側断面図である。
【図４】図４は、本発明の実施形態１に係る篩分装置の他の例の概略側断面図である。
【図５】図５は、本発明の実施形態２に係る篩分装置の概略側断面図である。
【図６】図６は、本発明の実施形態２に係る篩分装置の概略平面図である。
【発明を実施するための形態】
【００２９】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００３０】
図１は、本実施形態に係る篩分装置が適用されるガス化システムの概略構成図である。
【００３１】
ガス化システム５０は、図１に示すように、バイオマスから燃料を生成するものである。このガス化システム５０は、バイオマスを乾燥装置５１により乾燥してホッパ５２に貯留し、ホッパ５２によりバイオマスを粉砕装置５３に定量供給し、粉砕装置５３により粉砕したバイオマスを篩分装置５４により篩い分けて選別し、選別されたバイオマスを計量装置５５により計量して、ガス火炉５６により燃焼させることで燃焼ガスとしてガス化する。その後、燃焼ガスは、例えば、メタノールの製造に用いられたり、発電用の蒸気タービンを駆動する蒸気の発生に用いられたりする。
【００３２】
このようなガス化システム５０に適用される篩分装置５４は、粉砕装置５３で粉砕されたバイオマスとしての被篩物から夾雑物を選別して除くことで、ガス火炉５６における燃焼を安定させたり、ガス火炉５６への供給を安定させたりすることに適用される。ここで、本実施形態において、特に適用されるバイオマスは、繊維状のもので粉砕装置５３にて粉砕されても長尺の形態となり得る木材（間伐材、廃材木、流木など）である。従って、本実施形態において篩分装置５４は、バイオマスである被篩物に想定よりも長尺な夾雑物が混入している場合に、当該長尺な夾雑物を選別して除くためのものである。
【００３３】
［実施形態１］
図２は、本実施形態に係る篩分装置の概略斜視図である。図３は、本実施形態に係る篩分装置の概略側断面図である。図４は、本実施形態に係る篩分装置の他の例の概略側断面図である。
【００３４】
本実施形態に係る篩分装置５４は、篩部１と、案内部材２と、を備えている。
【００３５】
篩部１および案内部材２は、ケーシング３に設けられている。ケーシング３は、上方が開放する円筒状の胴部３Ａと、胴部３Ａの底を塞ぐ底板３Ｂとを有して構成されている。図１において、ケーシング３は、胴部３Ａおよび底板３Ｂの厚さを無視して簡略化し、かつ内部を透過して示している。
【００３６】
篩部１は、ケーシング３において、胴部３Ａの上下方向の途中に取り付けられている。篩部１は、円形状に形成されて胴部３Ａの内部領域を上下の領域３α，３βに分割するように設けられ、篩目１Ａを有して構成されている。篩目１Ａは、多数の貫通孔からなり、例えば、網目として構成されている。篩目１Ａは、ケーシング３の胴部３Ａの上部の開放部より投入された被篩物Ｓのうち、所定の粒径の必需物Ｓ１を胴部３Ａの下方領域３βに通過させる一方で、所定の粒径よりも長かったり大きかったりする夾雑物Ｓ２を通過させることなく胴部３Ａの上方領域３αに残す。そして、ケーシング３は、篩部１の上面と同じ高さ位置（上方領域３αの底位置）に、胴部３Ａに対して貫通する夾雑物排出穴３Ｃが形成されている。篩部１の篩目１Ａを通過せず上方領域３αに残された夾雑物Ｓ２は、夾雑物排出穴３Ｃからケーシング３の外部に排出される。また、ケーシング３は、底板３Ｂの上面と同じ高さ位置（下方領域３βの底位置）に、胴部３Ａに対して貫通する必需物排出穴３Ｄが形成されている。篩部１の篩目１Ａを通過して下方領域３βに至る必需物Ｓ１は、必需物排出穴３Ｄからケーシング３の外部に排出される。本実施形態において、篩部１は、ケーシング３に対して水平に配置されている。
【００３７】
案内部材２は、ケーシング３における胴部３Ａの上方領域３αであって、篩部１の上方に配置されている。案内部材２は、篩部１に上下方向で対向する底面２Ａを有している。案内部材２は、底面２Ａと篩部１との対向する間隔Ｄが、被篩物Ｓに含まれ得る夾雑物Ｓ２の長さＬ以下に設定されている。ここで、夾雑物Ｓ２の長さＬとは、後段のガス火炉５６において安定した燃焼に適さない長さや、後段のガス火炉５６に搬送する配管において詰まるおそれのある長さを意味する。本実施形態において案内部材２は、板状に形成され、篩部１と同様にケーシング３に対して水平に配置されている。
【００３８】
また、案内部材２は、開口部２Ｂが設けられている。開口部２Ｂは、ケーシング３の胴部３Ａの上部の開放部より投入された被篩物Ｓを篩部１に落下させる部分である。本実施形態において、開口部２Ｂは、胴部３Ａの上方領域３αを上下に分割するように配置された案内部材２の中央に貫通して設けられている。なお、開口部２Ｂは、図には明示しないが、複数に分割された案内部材２の間の隙間として形成されていてもよい。
【００３９】
なお、本実施形態の篩分装置５４では、篩部１および案内部材２を上下方向に延在する軸心に対して偏心移動させる移動機構４を備える。
【００４０】
例えば、移動機構４は、図３および図４に示すように、ケーシング３の底板３Ｂに上下方向に延在する旋回軸４Ａが設けられ、この旋回軸４Ａがクランク４Ｂを介して上下方向に延在する回転軸４Ｃに接続されている。回転軸４Ｃは、上下方向に延在する軸心ＡＣを中心として回転可能に設けられ、モータなどの回転駆動源４Ｄに接続されている。回転駆動源４Ｄは、図３および図４において回転軸４Ｃに直結されているが、図示しない減速機を介して回転軸４Ｃに連結されていてもよい。そして、回転駆動源４Ｄにより回転軸４Ｃが回転することに伴ってクランク４Ｂにより軸心ＡＣに対して偏心して旋回軸４Ａが移動するため、旋回軸４Ａと共にケーシング３が偏心移動する。
【００４１】
従って、篩分装置５４は、移動機構４により篩部１および案内部材２が水平方向に旋回するため、篩部１の篩目１Ａを被篩物Ｓ中の必需物Ｓ１が通過する一方、被篩物Ｓ中の夾雑物Ｓ２が篩部１に残されて選別される。
【００４２】
このように、本実施形態の篩分装置５４は、所定の篩目１Ａを有して形成された篩部１と、篩部１の上方に配置されて篩部１に上下方向で対向する底面２Ａを有し当該底面２Ａと前記篩部１との対向する間隔Ｄが被篩物Ｓに含まれ得る夾雑物Ｓ２の長さＬ以下に設定された案内部材２と、を備える。
【００４３】
通常、夾雑物Ｓ２は、篩部１の篩目１Ａを通過しないが、上下方向に沿って立った場合に篩部１の篩目１Ａを通過する可能性がある。従って、本実施形態の篩分装置５４によれば、案内部材２の底面２Ａと篩部１との上下方向の間隔Ｄが夾雑物Ｓ２の長さＬ以下に設定されていることで、夾雑物Ｓ２が篩部１上で上下方向に沿って立つことを抑制する。この結果、設定よりも長尺な夾雑物Ｓ２の通過を防ぐことができる。
【００４４】
また、本実施形態の篩分装置５４では、案内部材２は、底面２Ａと篩部１との間隔Ｄを調整可能に設けられている。
【００４５】
例えば、案内部材２は、図３に示すように、ケーシング３の胴部３Ａに対し、胴部３Ａの内側に突出する支持片２Ｃにより支持されている。支持片２Ｃは、図２に示すように、案内部材２が胴部３Ａの内面に沿って円板状に形成されている場合は、胴部３Ａの内面の周方向に沿ってリング状に設けられていたり、胴部３Ａの内面の周方向に沿って複数箇所に設けられていたりする。そして、胴部３Ａに対する支持片２Ｃの位置を上下に付け替えることで、案内部材２を支持する上下位置が変わるため、案内部材２は、底面２Ａと篩部１との間隔Ｄを調整可能に設けられる。その他、図には明示しないが、案内部材２を支持する支持部が、胴部３Ａに形成された上下方向に延在するスリットにより移動可能に設けられ、この支持部をスリットの任意の位置で固定することで、案内部材２を支持する上下位置を変えるように構成してもよい。
【００４６】
この篩分装置５４によれば、案内部材２が底面２Ａと篩部１との間隔Ｄを調整可能に設けられていることで、様々な夾雑物Ｓ２の長さＬに応じて案内部材２の底面２Ａと篩部１との間隔Ｄを調整することで、汎用性を有することができる。
【００４７】
また、本実施形態の篩分装置５４では、図４に示すように、案内部材２は、篩部１に対して被篩物Ｓを落下させる開口部２Ｂが設けられ、篩部１は、開口部２Ｂの直下の位置に篩目１Ａを有さず塞がれた閉塞部１Ｂが設けられている。
【００４８】
案内部材２の開口部２Ｂを介して篩部１に落下する被篩物Ｓに夾雑物Ｓ２が含まれている場合、夾雑物Ｓ２が上下方向に立って落下する恐れがある。この篩分装置５４によれば、篩部１の開口部２Ｂの直下の位置に閉塞部１Ｂが設けられているため、開口部２Ｂから夾雑物Ｓ２が立って落下しても閉塞部１Ｂに当接するため、長尺な夾雑物Ｓ２の通過を防ぐことができる。
【００４９】
［実施形態２］
図５は、本実施形態に係る篩分装置の概略側断面図である。図６は、本実施形態に係る篩分装置の概略平面図である。
【００５０】
本実施形態に係る篩分装置５４は、篩部１１と、案内部材１２と、を備えている。
【００５１】
篩部１１は、ケーシング１３に設けられている。ケーシング１３は、上方が開放する円筒状の胴部１３Ａと、胴部１３Ａの底を塞ぐ底板１３Ｂとを有して構成されている。
【００５２】
篩部１１は、ケーシング１３において、胴部１３Ａの上下方向の途中に取り付けられている。篩部１１は、円形状に形成されて胴部１３Ａの内部領域を上下の領域１３α，１３βに分割するように設けられ、篩目１１Ａを有して構成されている。篩目１１Ａは、多数の貫通孔からなり、例えば、網目として構成されている。篩目１１Ａは、ケーシング１３の胴部１３Ａの上部の開放部より投入された被篩物Ｓのうち、所定の粒径の必需物Ｓ１を胴部１３Ａの下方領域１３βに通過させる一方で、所定の粒径よりも長かったり大きかったりする夾雑物Ｓ２を通過させることなく胴部１３Ａの上方領域１３αに残す。そして、ケーシング１３は、篩部１１の上面と同じ高さ位置（上方領域１３αの底位置）に、胴部１３Ａに対して貫通する夾雑物排出穴１３Ｃが形成されている。篩部１１の篩目１１Ａを通過せず上方領域１３αに残された夾雑物Ｓ２は、夾雑物排出穴１３Ｃからケーシング１３の外部に排出される。また、ケーシング１３は、底板１３Ｂの上面と同じ高さ位置（下方領域１３βの底位置）に、胴部１３Ａに対して貫通する必需物排出穴１３Ｄが形成されている。篩部１１の篩目１１Ａを通過して下方領域１３βに至る必需物Ｓ１は、必需物排出穴１３Ｄからケーシング１３の外部に排出される。本実施形態において、篩部１１は、ケーシング１３に対して水平に配置されている。
【００５３】
案内部材１２は、ケーシング１３における胴部１３Ａの上方領域１３αであって、篩部１１の上方に配置されている。案内部材１２は、篩部１１に向かって傾斜する斜面１２Ａを有している。本実施形態において案内部材１２は、板状に形成され、篩部１１およびケーシング１３とは独立して図示しない部位に支持されている。
【００５４】
従って、篩分装置５４は、案内部材１２の斜面１２Ａを被篩物Ｓが滑落して篩部１１に至り、篩部１１の篩目１１Ａに必需物Ｓ１が通過する一方、夾雑物Ｓ２が篩部１１に残されて選別される。
【００５５】
また、本実施形態の篩分装置５４は、篩部１１を案内部材１２の斜面１２Ａの傾斜方向に合わせて水平方向に移動させる移動機構１４を備える。
【００５６】
例えば、移動機構１４は、図５に示すように、ケーシング１３の底板１３Ｂの中心に上下方向に延在する回転軸１４Ａが設けられている。回転軸１４Ａは、上下方向に延在する軸心ＡＣを中心として回転可能に設けられ、モータなどの回転駆動源１４Ｂに接続されている。回転駆動源１４Ｂは、図５において回転軸１４Ａに直結されているが、図示しない減速機を介して回転軸１４Ａに連結されていてもよい。そして、回転駆動源１４Ｂに接続により回転軸１４Ａが回転することに伴って軸心ＡＣを中心に篩部１１と共にケーシング１３が回転移動する。案内部材１２は、斜面１２Ａの傾斜方向が、篩部１１の回転方向に合っている。従って、篩部１１は、案内部材１２の斜面１２Ａの傾斜方向に合わせて水平方向に移動する。
【００５７】
従って、篩分装置５４は、移動機構１４により篩部１１が案内部材１２の斜面１２Ａの傾斜方向に合わせて水平方向に移動することでも、篩部１１の篩目１１Ａに必需物Ｓ１が通過する一方、夾雑物Ｓ２が篩部１１に残されて選別される。
【００５８】
このように、本実施形態の篩分装置５４は、所定の篩目１１Ａを有して形成された篩部１１と、篩部１１に対して被篩物Ｓを滑落させる態様で斜面１２Ａを有する案内部材１２と、を備える。
【００５９】
通常、夾雑物Ｓ２は、篩部１１の篩目１１Ａを通過しないが、上下方向に沿って立った場合に篩部１１の篩目１１Ａを通過する可能性がある。従って、本実施形態の篩分装置５４によれば、被篩物Ｓに長尺な夾雑物Ｓ２が含まれている場合、案内部材１２の斜面１２Ａを滑落した夾雑物Ｓ２は、斜面１２Ａに沿って傾斜した状態で篩部１１に至る。このため、長尺な夾雑物Ｓ２が篩部１１上で上下方向に沿って立つことを抑制する。この結果、設定よりも長尺な夾雑物Ｓ２の通過を防ぐことができる。
【００６０】
また、本実施形態の篩分装置５４では、案内部材１２は、斜面１２Ａの角度θが被篩物Ｓに含まれ得る夾雑物Ｓ２における安息角以下に設定されることが好ましい。
【００６１】
この篩分装置５４によれば、案内部材１２における斜面１２Ａの角度θが夾雑物Ｓ２における安息角以下に設定されていることで、夾雑物Ｓ２が斜面１２Ａを転動する事態を防ぐため、夾雑物Ｓ２は、斜面１２Ａに沿って傾斜した状態で滑落して篩部１１に至る。このため、長尺な夾雑物Ｓ２が篩部１１上で上下方向に沿って立つことを抑制する。この結果、設定よりも長尺な夾雑物Ｓ２の通過を防ぐことができる。
【００６２】
また、本実施形態の篩分装置５４では、案内部材１２は、斜面１２Ａの角度θが水平に対して４０度以下に設定されることが好ましい。
【００６３】
この篩分装置５４によれば、案内部材１２における斜面１２Ａの角度θが水平に対して４０度以下に設定されていることで、夾雑物Ｓ２が斜面１２Ａを転動する事態を防ぐため、夾雑物Ｓ２は、斜面１２Ａに沿って傾斜した状態で滑落して篩部１１に至る。このため、長尺な夾雑物Ｓ２が篩部１１上で上下方向に沿って立つことを抑制する。この結果、設定よりも長尺な夾雑物Ｓ２の通過を防ぐことができる。
【００６４】
また、本実施形態の篩分装置５４では、案内部材１２は、斜面１２Ａの表面に摩擦抵抗を低減する処理が施されていることが好ましい。摩擦抵抗を低減する処理とは、例えば、フッ素コーティングや、鏡面処理などがある。
【００６５】
この篩分装置５４によれば、案内部材１２における斜面１２Ａの表面に摩擦抵抗を低減する処理が施されていることで、夾雑物Ｓ２が斜面１２Ａを転動する事態を防ぐため、夾雑物Ｓ２は、斜面１２Ａに沿って傾斜した状態で滑落して篩部１１に至る。このため、長尺な夾雑物Ｓ２が篩部１１上で上下方向に沿って立つことを抑制する。この結果、設定よりも長尺な夾雑物Ｓ２の通過を防ぐことができる。
【００６６】
また、本実施形態の篩分装置５４では、案内部材１２は、斜面１２Ａの下端１２Ｂと篩部１１との上下方向の間隔Ｄが被篩物Ｓに含まれ得る夾雑物Ｓ２の長さＬ以下に設定されることが好ましい。
【００６７】
ここで、夾雑物Ｓ２の長さＬとは、後段のガス火炉５６において安定した燃焼に適さない長さや、後段のガス火炉５６に搬送する配管において詰まるおそれのある長さを意味する。
【００６８】
この篩分装置５４によれば、案内部材１２における斜面１２Ａの下端１２Ｂと篩部１１との上下方向の間隔Ｄが夾雑物Ｓ２の長さＬ以下に設定されることで、斜面１２Ａを滑落する夾雑物Ｓ２が、斜面１２Ａの下端１２Ｂから落下する際、斜面１２Ａに沿って傾斜した状態のまま篩部１１に至り易くなる。このため、長尺な夾雑物Ｓ２が篩部１１上で上下方向に沿って立つことを抑制する。この結果、設定よりも長尺な夾雑物Ｓ２の通過を防ぐことができる。
【００６９】
また、本実施形態の篩分装置５４では、篩部１１を案内部材１２の斜面１２Ａの傾斜方向に合わせて水平方向に移動させる移動機構１４を備え、案内部材１２の斜面１２Ａの角度θと、案内部材１２の斜面１２Ａを滑落する被篩物Ｓの平均速度Ｖｂと、移動機構１４による篩部１１の移動速度Ｖｒとの関係を、Ｖｂ・ｃｏｓθ≦Ｖｒとすることが好ましい。
【００７０】
この篩分装置５４によれば、篩部１１の移動速度Ｖｒが案内部材１２の斜面１２Ａを滑落する被篩物Ｓの平均速度Ｖｂよりも速いため、斜面１２Ａを滑落する夾雑物Ｓ２が、斜面１２Ａの下端１２Ｂから落下する際、斜面１２Ａに沿って傾斜した状態のまま篩部１１に至り易くなる。このため、長尺な夾雑物Ｓ２が篩部１１上で上下方向に沿って立つことを抑制する。この結果、設定よりも長尺な夾雑物Ｓ２の通過を防ぐことができる。
【符号の説明】
【００７１】
１  篩部
１Ａ  篩目
１Ｂ  閉塞部
２  案内部材
２Ａ  底面
２Ｂ  開口部
１１  篩部
１１Ａ  篩目
１２  案内部材
１２Ａ  斜面
１２Ｂ  下端
１４  移動機構
Ｄ  間隔
Ｓ  被篩物
Ｓ１  必需物
Ｓ２  夾雑物
【図１】
2016159287.tif 000003
【図２】
2016159287.tif 000004
【図３】
2016159287.tif 000005
【図４】
2016159287.tif 000006
【図５】
2016159287.tif 000007
【図６】
2016159287.tif 000008